(57)【特許請求の範囲】
【請求項１】
扉の開閉によりオン／オフする扉開閉スイッチと、前記扉の閉め忘れを知らせるためのアラームとを有する冷蔵庫において、電源投入時前記扉開閉スイッチがオフの場合は電源オン時扉開（Ｆ）をセットする手段と、前記扉開閉スイッチのオフを検出してから所定時間経過し、前記電源オン時扉開（Ｆ）がセットされている場合は前記アラームをオフする手段と、前記扉開閉スイッチがオンの場合は、前記電源オン時扉開（Ｆ）及び扉開タイマーをリセットし、次回扉が開けられた場合には、所定時間後はアラームをオンする手段とを備え、前記電源オン時扉開（Ｆ）及び扉開タイマーがリセットされた状態で、前記扉開閉スイッチのオフを検出してから所定時間経過し、前記扉が閉まっているにも拘らず前記アラームが所定時間オンする場合は、当該冷蔵庫の電源再投入時に、電源オン時扉開（Ｆ）をセットする手段、前記アラームをオフする手段、及び、所定時間後はアラームをオンする手段により、アラームをオフすることを特徴とする冷蔵庫の制御装置。
【発明の詳細な説明】
【０００１】
【発明の属する技術分野】
この発明は、冷蔵庫の制御装置に関するものである。
【０００２】
【従来の技術】
従来の冷蔵庫の制御では、扉閉め忘れを知らせるアラームは扉が閉められるまで鳴り続け、庫内灯は扉が閉められるまで点灯し続けるのが一般的であった。
【０００３】
【発明が解決しようとする課題】
従来の冷蔵庫の制御は以上のように行われるので、扉開閉によりＯＮ／ＯＦＦするスイッチが途中故障した場合、扉を閉めた状態であっても扉閉め忘れを知らせるアラームは鳴り続け、アラームを止める為には冷蔵庫の電源をＯＦＦする方法しかなく、庫内の食品温度に影響を与えるという問題点があった。
【０００４】
また、同じく扉開閉によりＯＮ／ＯＦＦするスイッチが途中故障した場合、扉を閉めた状態であっても庫内灯は消灯せず、庫内灯付近の温度が上昇し庫内の食品温度に影響を与えるという問題点があった。
【０００５】
この発明は、上記のような問題を解決する為になされたもので、扉開閉によりＯＮ／ＯＦＦするスイッチが故障した際にも、冷蔵庫の電源をＯＦＦした状態のままにしなくても庫内の食品温度に影響を与えること無く制御を行える冷蔵庫の制御装置を得ることを目的とする。
【０００７】
【課題を解決するための手段】
請求項１の冷蔵庫の制御装置は、扉の開閉によりオン／オフする扉開閉スイッチと、扉の閉め忘れを知らせるためのアラームとを有する冷蔵庫において、電源投入時前記扉開閉スイッチがオフの場合は電源オン時扉開（Ｆ）をセットする手段と、扉開閉スイッチのオフを検出してから所定時間経過し、電源オン時扉開（Ｆ）がセットされている場合はアラームをオフする手段と、扉開閉スイッチがオンの場合は、電源オン時扉開（Ｆ）及び扉開タイマーをリセットし、次回扉が開けられた場合には、所定時間後はアラームをオンする手段とを備え、電源オン時扉開（Ｆ）及び扉開タイマーがリセットされた状態で、扉開閉スイッチのオフを検出してから所定時間経過し、扉が閉まっているにも拘らずアラームが所定時間オンする場合は、冷蔵庫の電源再投入時に、電源オン時扉開（Ｆ）をセットする手段、アラームをオフする手段、及び、所定時間後はアラームをオンする手段により、アラームをオフすることを特徴とする。
【０００９】
【発明の実施の形態】
実施の形態１．
以下、この発明の実施の形態１を図について説明する。
図１は、この発明の実施の形態１による冷蔵庫の全体構成図である。図において、１は扉の開閉によりＯＮ／ＯＦＦするスイッチ（扉開閉スイッチ）、２は扉閉め忘れを知らせるアラーム、３は庫内を照らす庫内灯、４は冷蔵庫全体を制御する制御基板である。
【００１０】
次に動作を説明する。図２はこの発明の実施の形態２による冷蔵庫の制御装置の制御のフローチャート図である。まずステップ１０で扉開閉スイッチ１の状態を判定し、ＯＦＦ開信号の場合には、ステップ１１で扉開閉スイッチ１ＯＦＦの時間が１０分以内かどうかを判断し、１０分以内の場合には１分毎にアラームを２開ずつ鳴らし、５分以降は連続して鳴らす（ステップ１２）。また扉開閉スイッチＯＦＦ１０分経過後は、アラームをＯＦＦし（ステップ１４）、扉開閉スイッチＯＮ閉信号の場合は扉開時間をカウントする１０分タイマーはリセットし（ステップ１３）、次回扉が開けられた場合（扉開閉スイッチ１がＯＦＦ）には、同様にアラーム処理を行う。
【００１１】
この実施の形態１の冷蔵庫の制御装置は、扉開閉によりＯＮ／ＯＦＦするスイッチ（扉開閉スイッチ）が途中故障した場合、従来は扉を閉めた状態であっても扉閉め忘れを知らせるアラームは鳴り続け、アラームを止める為には冷蔵庫の電源をＯＦＦする方法しかなかったが、その場合でも扉をそのまま閉めておくだけで、アラームは自動的に停止する為、庫内の食品温度に影響を与えず、またユーザーに音的にも迷惑を掛けることがなくなる。
【００１２】
実施の形態２．
以下、この発明の実施の形態２を図について説明する。図３、図４はこの発明の実施の形態２による冷蔵庫の制御装置のフローチャート図である。図３は電源を入れた際の処理で、ステップ２０で電源を入れた際に、ステップ２１で扉開閉スイッチ１の状態を判定し、扉開閉スイッチ１がＯＦＦ開信号の場合には電源ＯＮ時扉開（Ｆ）をセットする（ステップ２２）。図４は扉開閉によるアラームのＯＮ／ＯＦＦ処理である。電源投入時より扉信号が開いたままの入力であれば、５分以降は、電源ＯＮ時扉開（Ｆ）が１であるため（ステップ３３）、５分以降はアラームは止まる（ステップ３６）。また扉開閉スイッチＯＮ閉信号の場合には電源ＯＮ時扉開（Ｆ）、扉開５分タイマーをリセットするため（ステップ３２）、次回扉が開けられた場合には、５分以降は連続してアラームを鳴らす（ステップ３５）。５分以降連続してアラームが鳴る場合は、ステップ３７で扉状態を見て、閉状態であれば扉開閉スイッチ１が故障しているので電源再投入することにより、ステップ３０→ステップ３１→ステップ３３→ステップ３６のフローによりアラームは止まる。
【００１３】
この実施の形態２の冷蔵庫の制御装置は、扉開閉によりＯＮ／ＯＦＦするスイッチが途中故障した場合、扉を閉めた状態であっても電源を入れ直せば、アラームは自動的に停止する為、庫内の食品温度に影響を与えず、またユーザーに音的にも迷惑を掛けることがなくなる。
【００１４】
実施の形態３．
以下、この発明の実施の形態３を図について説明する。図５はこの発明の実施の形態３による冷蔵庫の制御装置のフローチャート図である。
次に図５を用いて請求項３の動作を説明する。まずステップ４０で扉開閉スイッチ１の状態を判定し、ＯＦＦ開信号の場合には、ステップ４１で扉開閉スイッチ１ＯＦＦの時間が１０分以内かどうかを判断し、１０分以内の場合には庫内灯を点灯させる（ステップ４２）。また扉開閉スイッチＯＦＦ１０分経過後は、庫内灯をＯＦＦし（ステップ４４）、扉開閉スイッチＯＮ閉信号の場合は扉開時間をカウントする１０分タイマーはリセットし（ステップ４３）、次回扉が開けられた場合には（扉開閉スイッチ１がＯＦＦ）、同様に庫内灯処理を行う。
【００１５】
この実施の形態３の冷蔵庫の制御装置は、扉開閉によりＯＮ／ＯＦＦするスイッチが途中故障した場合、従来は扉を閉めた状態であっても庫内灯３は消灯せず、庫内灯３を消すためには冷蔵庫の電源をＯＦＦする方法しかなかったが、その場合でも扉をそのまま閉めておくだけで自動的に庫内灯３は消灯するため、庫内灯３付近の温度が上昇し庫内の食品温度に影響を与えることはなくなる。
【００１７】
【発明の効果】
請求項１の冷蔵庫の制御装置は、扉の開閉によりオン／オフする扉開閉スイッチと、扉の閉め忘れを知らせるためのアラームとを有する冷蔵庫において、電源投入時前記扉開閉スイッチがオフの場合は電源オン時扉開（Ｆ）をセットする手段と、扉開閉スイッチのオフを検出してから所定時間経過し、電源オン時扉開（Ｆ）がセットされている場合はアラームをオフする手段と、扉開閉スイッチがオンの場合は、電源オン時扉開（Ｆ）及び扉開タイマーをリセットし、次回扉が開けられた場合には、所定時間後はアラームをオンする手段とを備え、電源オン時扉開（Ｆ）及び扉開タイマーがリセットされた状態で、扉開閉スイッチのオフを検出してから所定時間経過し、扉が閉まっているにも拘らずアラームが所定時間オンする場合は、冷蔵庫の電源再投入時に、電源オン時扉開（Ｆ）をセットする手段、アラームをオフする手段、及び、所定時間後はアラームをオンする手段により、アラームをオフするので、扉開閉スイッチが故障した場合扉を閉めた状態でも、電源を入れ直せばアラームは自動的に停止するため、食品温度に影響を与えず、またユーザに騒音面で迷惑をかえることがない。
【図面の簡単な説明】
【図１】  この発明の実施の形態１による冷蔵庫の制御装置のブロック図である。
【図２】  この発明の実施の形態１による冷蔵庫の制御装置のフローチャート図である。
【図３】  この発明の実施の形態１による冷蔵庫の制御装置のフローチャート図である。
【図４】  この発明の実施の形態２による冷蔵庫の制御装置のフローチャート図である。
【図５】  この発明の実施の形態３による冷蔵庫の制御装置のフローチャート図である。
【符号の説明】
１  扉開閉スイッチ、２  アラーム、３  庫内灯、４  制御基板。
【図１】
0003805012.tif 000002
【図２】
0003805012.tif 000003
【図３】
0003805012.tif 000004
【図４】
0003805012.tif 000005
【図５】
0003805012.tif 000006